(57)【要約】【課題】異なる納まり構造に対応するサッシ枠を効率的にかつ低コストで製造。【解決手段】建物躯体の開口部にサッシ窓を形成するためのサッシ枠の組立てシステムであって、上記建物躯体の開口部３３に共通の納まり部に対応する共通の汎用枠ａ、ｂ、ｃと、上記建物躯体の開口部に専用の納まり部に対応する専用の専用枠ａ１、ｂ１、ｃ１、ａ２、ｂ２、ｃ２、ａ３、ｂ３、ｃ３とを備え、上記汎用枠と専用の収まり部に対応して選択された専用枠とを一体的に結合して組み立てる。【選択図】図１
2006348492.tif 000002
【特許請求の範囲】
【請求項１】
建物躯体の異なる開口部にサッシ窓を形成するためのサッシ枠の組立てシステムであって、上記建物躯体の開口部に共通の納まり部に対応する共通の汎用枠と、上記建物躯体の開口部に専用の納まり部に対応する専用の専用枠とを備え、上記汎用枠と専用の収まり部に対応して選択された専用枠とを一体的に結合して組み立てることを特徴とするサッシ枠の組立てシステム。
【請求項２】
上記汎用枠は、汎用上枠と汎用下枠と左右の汎用縦枠とからなり、障子の案内部と上記建物躯体の開口部の周縁材の内面に固定するための取付縁とを備え、上記専用枠は、専用上枠と専用下枠と左右の専用縦枠とからなり、上記周縁材の屋外面に固定するための取付フィンを備えたことを特徴とする、請求項１に記載のサッシ枠の組立てシステム。
【請求項３】
上記汎用枠を構成する汎用上枠、汎用下枠および汎用縦枠には、それぞれＬ字形の鉤縁を屋内側と屋外側に形成し、上記専用枠を構成する専用上枠、専用下枠および専用縦枠には、それぞれ上記屋内側の鉤縁に係合する係合縁と上記屋外側の鉤縁を挿入して弾発的に係止可能な係止溝とを形成したことを特徴とする、請求項２に記載のサッシ枠の組立てシステム。
【請求項４】
上記係止溝と鉤縁とは水密材を介して係止していることを特徴とする、請求項３に記載のサッシ枠の組立てシステム。
【請求項５】
上記サッシ枠の縦枠の上下端開口部にはキャップが設けられているとともに、上記縦枠の上下側面およびキャップの取付フィンと上下枠の端面とは水密材を介して突合せられていることを特徴とする、請求項１〜４のいずれかに記載のサッシ枠の組立てシステム。
【発明の詳細な説明】
【技術分野】
【０００１】
本発明は、サッシ枠の納まり構造が異なる建物躯体の開口部に取り付けるためのサッシ枠の組立てシステムに関するものである。
【背景技術】
【０００２】
サッシ枠は建物躯体の開口部に固定させてサッシ窓を形成するものであるが、一口に開口部といっても、住宅メーカーの建物躯体の設計が異なるから、サッシ枠と障子の取り合いは同じであっても、サッシ枠の納まり構造が住宅メーカーによって異なる場合が多い。このため、サッシメーカーでは住宅メーカーの納まり構造に対応し、異なる住宅メーカー毎に異なるサッシ枠を用意する必要があった。このため、住宅メーカーの数だけサッシの金型が必要となるから、生産コストが高くならざるを得なかった。
【特許文献１】特開平０９−２６４０９５号公報
【特許文献２】特開平１１−１４８２７４号公報
【発明の開示】
【発明が解決しようとする課題】
【０００３】
本発明は上記問題点を解消し、同じ性能のサッシ枠には同じ大きさの障子が取り付けられ、障子の取り付け方は同じであり、建物躯体の開口部におけるサッシ枠の収まり構造には、共通の納まり部と専用の納まり部とがあることに着目し、サッシ枠を共通の汎用部分と専用部分に分け、汎用部分に専用部分を選択して結合させることにより、異なる納まり構造に対応するサッシ枠を効率的にかつ低コストで製造することができるサッシ枠の組立てシステムを提供することをその課題とする。
【課題を解決するための手段】
【０００４】
前記課題を解決するため、請求項１に係る発明は、建物躯体の開口部にサッシ窓を形成するためのサッシ枠の組立てシステムであって、上記建物躯体の開口部に共通の納まり部に対応する共通の汎用枠と、上記建物躯体の開口部に専用の納まり部に対応する専用の専用枠とを備え、上記汎用枠と専用の収まり部に対応して選択された専用枠とを一体的に結合して組み立てることを特徴とする。
【０００５】
請求項２に係る発明は、上記汎用枠が、汎用上枠と汎用下枠と左右の汎用縦枠とからなり、障子の案内部と上記建物躯体の開口部の周縁材の内面に固定するための取付縁とを備え、上記専用枠は、専用上枠と専用下枠と左右の専用縦枠とからなり、上記周縁材の屋外面に固定するための取付フィンを備えたことを特徴とする。
【０００６】
請求項３に係る発明は、上記汎用枠を構成する汎用上枠、汎用下枠および汎用縦枠には、それぞれＬ字形の鉤縁を屋内側と屋外側に形成し、上記専用枠を構成する専用上枠、専用下枠および専用縦枠には、それぞれ上記屋内側の鉤縁に係合する係合縁と上記屋外側の鉤縁を挿入して弾発的に係止可能な係止溝とを形成したことを特徴とする。
【０００７】
請求項４に係る発明は、上記係止溝と鉤縁とは水密材を介して係止していることを特徴とする。
【０００８】
請求項５に係る発明は、上記サッシ枠の縦枠の上下端開口部にはキャップが設けられているとともに、上記縦枠の上下側面およびキャップの取付フィンと上下枠の端面とは水密材を介して突合せられていることを特徴とする。
【発明の効果】
【０００９】
請求項１に係る発明によれば、建物躯体の開口部におけるサッシ枠の収まり構造には、共通の納まり部と専用の納まり部とがあることに着目し、サッシ枠を共通の汎用部分と専用部分に分け、汎用部分に専用部分を選択して結合させることにより、種々の異なる納まり構造に対応することができるので、納まり構造が変わる毎に枠材を製造する必要がない。したがって、サッシ枠を効率的にかつ低コストで製造することができる。
【００１０】
請求項２に係る発明によれば、建物躯体の開口部の周縁材の内面に対する納まり部は共通であるから、上記内面には汎用枠を固定し、これに対し、上記周縁材の屋外側の納まり部は異なるので、周縁材の屋外面には専用枠を固定するので、異なる納まり構造の開口部にサッシ枠を確実に固定することができる。
【００１１】
請求項３に係る発明によれば、汎用上枠、汎用下枠および汎用縦枠の屋内側のＬ字形の鉤縁に専用上枠、専用下枠および専用縦枠の屋内側の係合縁を係合させた後、専用上枠、専用下枠および専用縦枠を回動させ、その係止溝に汎用上枠、汎用下枠および汎用縦枠の屋外側の鉤縁を挿入し、この鉤縁を係止溝の係止部に弾発的に係止するので、汎用枠と専用枠の各枠材の一体的結合を簡単かつ確実に行うことができる。
【００１２】
請求項４に係る発明によれば、汎用枠と専用枠の各枠材が一体的に結合されたとき、屋外側の結合部分は、汎用枠の屋外側の鉤縁と専用枠の各枠材の係止溝であるが、上記係止溝と鉤縁とは水密材を介して係止しているので、汎用枠と専用枠との結合部分から雨水等が浸入することが良好に防止される。
【００１３】
請求項５に係る発明によれば、サッシ枠の縦枠の上下端開口部および縦枠の側面に対する上下枠の端部の突合せ部分から雨水等が浸入することが良好に防止され、水密性能が向上する。また、上枠の取付フィンと縦枠の取付フィンとキャップの取付フィンとが面一になるので水密性能が向上する。
【発明を実施するための最良の形態】
【００１４】
図１、図２および図３は建物躯体の開口部にサッシ窓を形成するためのサッシ枠の組立てシステムの一例を示すものである。この組立てシステムは、建物躯体の開口部に共通の納まり部に対応する共通の汎用枠と、上記建物躯体の開口部に専用の納まり部に対応する専用の専用枠とを備えておき、汎用枠と選択された専用枠とを一体的に結合してサッシ枠を組み立てるようにしたものである。したがって、サッシ枠の上枠は汎用上枠と専用上枠、下枠は汎用下枠と専用下枠、また縦枠は汎用縦枠と専用縦枠とからなり、汎用枠が屋内内側に、専用枠は屋外外側に配置されるように構成されている。ここでは、建物躯体の開口部のサッシ枠納まり構造が３種類ある場合の例について説明する。
【００１５】
図１は汎用上枠および汎用縦枠を示すもので、同図において符号ａは汎用上枠を示す。この汎用上枠ａは建物躯体の異なる種類の開口部に共通の納まり部に対応するように構成されたもので、ほぼ水平のベース枠部１ａを備え、ベース枠部１ａの屋外側からそれぞれ網戸案内部５ａと障子案内部６ａとが垂下形成され、ベース枠部１ａの上部にはＬ字形の鉤縁７、８が屋内側と屋外側に形成されている。１３ａはビスホールである。
【００１６】
なお、汎用上枠ａ（汎用下枠ｂおよび汎用縦枠ｃも）は屋外側の金属部と屋内側の合成樹脂部とからなる複合枠である。合成樹脂部の屋外側は金属部と重合し、合成樹脂部の屋内側にはＬ形の取付部９ａが形成されている。
【００１７】
符号ａ１、ａ２およびａ３は専用上枠を示す。これらの専用上枠は、異なる種類の各開口部の納まり部に対応する専用の構成となっており、専用上枠ａ１には、汎用上枠ａの外側に配置されるほぼ水平の調整枠部２ａを備え、調整枠部２ａの基部から垂直に起立する取付フィン１０ａとが形成されているとともに、調整枠部２ａの下部には、上記汎用上枠ａの２つの鉤縁７、８に対応する鉤形係合縁１１と係止溝１２とが形成されている。取付フィン１０ａの下部からビスホール１３ｂを有する結合縁１４が突出形成されている。
【００１８】
なお、係止溝１２の内面の一側には汎用上枠ａの鉤縁８に係止する係止部１５が形成され、調整枠部の屋外側端部には中空部１７が形成されている。後述の他の専用上枠および専用下枠、専用縦枠も同様である。
【００１９】
専用上枠ａ２は、屋外側に延びるほぼ水平の調整枠部２ｂと調整枠部２ｂの基部から垂直に起立する取付フィン１０ａとが形成されているとともに、調整枠部２ｂの下部には、上記汎用上枠ａの２つの鉤縁７、８に対応する鉤形係合縁１１と係止溝１２とが形成されている。上記係合縁１１の近傍からビスホール１３ｂを有する結合縁１４が突出形成されている。
【００２０】
専用上枠ａ３は、屋外側に延びるほぼ水平の調整枠部２ｃと調整枠部２ｃの中間部から垂直に起立する取付フィン１０ａとが形成されているとともに、調整枠部２ｃの屋内側の下部には、上記汎用上枠ａの２つの鉤縁７、８に対応する鉤形係合縁１１と係止溝１２とが形成されている。調整枠部２ｃの屋内端にはビスホール１３ｂが形成されている。なお、取付フィン１０の上端から屋外側に上部延長縁１９が形成されている。調整枠部２ｃと上部延長縁１９の先端開口部には化粧縁１６ａが着脱自在に設けられている。
【００２１】
ところで、上記専用上枠ａ１、ａ２、ａ３の中で調整枠部２ａ、２ｂ、２ｃの屋外側の端部から取付フィン１０ａまでの長さＬ１、Ｌ２、Ｌ３は、専用上枠ａ１が最も長く、続いて専用上枠ａ２が長く、専用上枠ａ３は最も短い。
【００２２】
また、調整枠部２ａ、２ｂ、２ｃの屋外側の端部の高さＨ１、Ｈ２、Ｈ３は、専用上枠ａ１が最も低く、続いて専用上枠ａ２が低く、専用上枠ａ３は最も高く、しかも屋外側に開口している。
【００２３】
さらに、ビスホール１３ｂは、専用上枠ａ１は取付フィン１０ａの近くの屋内側に、専用上枠ａ２は取付フィン１０ａの下方に、専用上枠Ａ３は取付フィン１０ａの屋内側の遠い位置に設けられている。
【００２４】
係合縁１１と係止溝１２の位置は、専用上枠ａ１は取付フィン１０ａの近くの屋外側に、専用上枠ａ２は取付フィン１０ａよりも屋外側に、専用上枠ａ３は取付フィン１０ａよりも屋内側に設けられている。そして、取付フィン１０ａの上下両側には、化粧縁１６ａが着脱自在に設けられている。
【００２５】
調整枠部２ａ、２ｂ、２ｃの屋外側の中空部１７の形状も互いに異なっている。
【００２６】
以上のように、３つの専用上枠ａ１、ａ２、ａ３は建物躯体の開口部の納まり部に対応して互いに異なる構成を有している。
【００２７】
次に、図２は汎用下枠と専用下枠を示すもので、汎用下枠ｂは、異なる種類の各開口部の納まり部に対応する専用の構成となっており、中空部２０を有するベース枠部１ｂを備え、ベース枠部１ｂの屋外側からそれぞれ網戸案内部５ｂと障子案内部６ｂ（レール）とが起立形成され、ベース枠部１ｂの下部にはＬ字形の鉤縁７、８が屋内側と屋外側に形成されている。また、合成樹脂部の屋内側上部にはＬ形の取付部９ｂが形成され、屋内側の下部には合成樹脂部と金属部とが重合して取付縁１８が形成されている。ベース枠部１ｂの下部にはビスホール１３ａが形成されている。
【００２８】
符号ｂ１、ｂ２およびｂ３は専用下枠を示す。これらの専用下枠は、異なる種類の各開口部に専用の納まり部に対応する構成となっており、専用下枠ｂ１には、屋外側に２段に屈曲した調整枠部３ｂと調整枠部３ｂのほぼ中央部から下方に突出する取付フィン１０ｂとが形成されているとともに、調整枠部３ｂの上部には、上記汎用上枠ａの２つの鉤縁７、８に対応する鉤形係合縁１１と係止溝１２とが形成されている。１３ｂはビスホールである。
【００２９】
専用下枠ｂ２には、調整枠部３ｂと調整枠部３ｂのほぼ中央部から下方に突出する取付フィン１０ｂとが形成されているとともに、調整枠部３ｂの上部には、上記汎用上枠ａの２つの鉤縁７、８に対応する鉤形係合縁１１と係止溝１２とが形成されている。１３ｂはビスホールである。
【００３０】
専用下枠ｂ３には、汎用下枠ｂの下方に配置されたほぼ水平の調整枠部３ｂと調整枠部３ｂの屋内側の端部から下方に突出する取付フィン１０ｂとが形成されているとともに、調整枠部３ｂの上部には、上記汎用上枠ａの２つの鉤縁７、８に対応する鉤形係合縁１１と係止溝１２とが形成されている。また、調整枠部３ｂの屋外側の端部の上部には、汎用下枠ｂの屋内側の端部に設けられた取付縁１８を受ける受け縁２２が形成され、上記端部の下部には取付縁１８ａが形成されている。また、上記取付フィン１０ｂの上下端から屋外側には突縁２３が形成され、その先端開口部には化粧縁１６ｂが着脱自在に設けられている。１３ｂはビスホールである。
【００３１】
以上の３つの専用下枠ｂ１、ｂ２およびｂ３も、建物躯体の開口部の納まり部に対応して、調整枠部３ａ、３ｂ、３ｃの形状、取付フィン１０ｂの位置、係合縁１１と係止溝１２の位置、取付縁１８ａの有無、ビスホール１３ｂの位置などの点において互いに異なっている。
【００３２】
図３は汎用縦枠と専用縦枠を示すもので、汎用縦枠ｃは建物躯体の異なる種類の開口部の納まり部に共通して対応する構成を有するもので、ベース枠部１ｃを備え、ベース枠部１ｃの屋外側からそれぞれ網戸案内部５ｃと障子案内部６ｃとが内側に突出形成され、ベース枠部１ｃの外側にはＬ字形の鉤縁７、８が屋内側と屋外側に形成されている。また、屋内側には合成樹脂部のＬ形取付縁９ｃが設けられている。
【００３３】
また、符号ｃ１、ｃ２およびｃ３は専用縦枠を示す。これらの専用縦枠は、異なる種類の各開口部の納まり部に対応する専用の構成となっており、専用縦枠Ｃ１は中空の調整枠部４ａを有し、その内側には段部２４が形成され、調整枠部４ａの外側には取付フィン１０ｃが形成されている。また、段部２５には、上記汎用縦枠Ｃの２つの鉤縁７、８に対応する鉤形係合縁１１と係止溝１２とが形成されている。２１はビスホールである。
【００３４】
専用縦枠ｃ２は、Ｚ字形の調整枠部４ｂを有し、その内側には、上記汎用縦枠ｃの２つの鉤縁７、８に対応する鉤形係合縁１１と係止溝１２とが形成されている。また、外側端部には取付フィン１０ｃが形成されている。さらに、調整枠部４ｂの外側にはカバー２５が着脱自在に設けられている。２１は（キャップ取付用の）ビスホールである。
【００３５】
専用縦枠ｃ３は、屋内外方向に延びる調整枠部４ｃの内側に上記汎用縦枠ｃの２つの鉤縁７、８に対応する鉤形係合縁１１と係止溝１２およびビスホール２１が形成されているとともに、調整枠部４ｃの屋外側の端部からは直角に取付フィン１０ｃが形成されている。そして、取付フィン１０ｃの両側には、化粧縁１６ｃが着脱自在に設けられている。
【００３６】
以上の３つの専用縦枠ｃ１、ｃ２およびｃ３も、建物躯体の開口部の納まり部に対応して、調整枠部４ａ、４ｂ、４ｃの形状、取付フィン１０ｃの位置・形状、係合縁１１と係止溝１２の位置、ビスホール２１の位置などの点において互いに異なっている。
【００３７】
次に、上記汎用枠と専用枠によってサッシ窓を組み立てるにあたっては、まず専用上枠、専用下枠および専用縦枠のうち建物躯体の開口部構造に対応して最適のものを選択して汎用枠と一体に結合して上枠、下枠および縦枠を形成する。
【００３８】
その場合、例えば汎用上枠ａと専用上枠ａ１とを一体に結合する場合は、図４（ａ）に示されるように、汎用上枠ａの屋内側のＬ字形の鉤縁７に専用上枠の屋内側の係合縁１１を係合させた後、専用上枠ａ１を回動させ、汎用上枠ａの屋外側の鉤縁８を専用上枠ａ１の係止溝１２に挿入し、その係止部１５に弾発的に係止する。これにより、汎用上枠ａと専用上枠Ａ１とが一体に結合してサッシ上枠Ａ１が形成される。
【００３９】
同様に、例えば汎用下枠ｂと専用下枠ｂ１とを一体に結合する場合は、同図（ｂ）に示されるように、汎用下枠ｂの屋内側のＬ字形の鉤縁７に専用下枠ｂ１の屋内側の係合縁１１を係合させた後、専用下枠ｂ１を回動させ、汎用下枠ｂの屋外側の鉤縁８を専用下枠ｂ１の係止溝１２に挿入し、その係止部１５に弾発的に係止する。これにより、汎用下枠Ｂと専用下枠ｂ１とが一体に結合してサッシ下枠Ｂ１が形成される。
【００４０】
さらに、例えば汎用縦枠ｃと専用縦枠ｃ１とを一体に結合する場合は、同図（ｃ）に示されるように、汎用縦枠ｃの屋内側のＬ字形の鉤縁７に専用縦枠ｃ１の屋内側の係合縁１１を係合させた後、専用縦枠ｃ１を回動させ、汎用縦枠ｃの屋外側の鉤縁８を専用縦枠ｃ１の係止溝１２に挿入し、その係止部１５に弾発的に係止する。これにより、汎用縦枠ｃと専用縦枠ｃ１とが一体に結合してサッシ縦枠Ｃ１が形成される。
【００４１】
なお、専用上枠ａ１の屋外側の鉤縁８を汎用上枠ａの係止溝１２に係止させるとき、予め係止溝１２の屋外側の内壁には水密材２６を取り付けておき、係止溝１２と鉤縁７、８とは水密材２６を介して係止するようにする。これにより、汎用枠と専用枠との結合部分からの雨水等の浸入が良好に防止される。
【００４２】
他の専用枠との組み合わせ結合の場合も同様に、汎用上枠ａ、汎用下枠ｂおよび汎用縦枠ｃの屋内側のＬ字形の鉤縁７に専用上枠ａ２、ａ３、専用下枠ｂ２、ｂ３および専用縦枠ｃ２、ｃ３の屋内側の係合縁１１を係合させた後、専用上枠ａ２、ａ３、専用下枠ｂ２、ｂ３および専用縦枠ｃ２、ｃ３を回動させ、その係止溝１２に汎用上枠ａ、汎用下枠ｂおよび汎用縦枠Ｃの屋外側の鉤縁８を挿入し、この鉤縁８を係止溝１２の係止部１５に弾発的に係止することによって、別構成の上枠、下枠および縦枠が簡単かつ確実に形成される。
【００４３】
また、サッシ縦枠Ｃ１の上（下）端開口部にはキャップを取り付けるのが好ましい。例えば、図５および図６に示すように、キャップ２７は、板状のキャップ本体２７ａの一端部に取付けフィン２８を上方に突出形成したもので、キャップ本体２７ａは水密材（シーラー）２９を介して縦枠Ｃ１の上端開口部上に当接され、ビス３０により固定すればよい。
【００４４】
次に、上記枠材によってサッシ枠を組むときは、上下枠の両端部を縦枠の側面上下部に突き合わせ、いわゆる縦通しで方形のサッシ枠を枠組みする。例えば、縦枠Ｃ１と上枠Ａ１とを組むときは、図５および図６のように、縦枠Ｃ１の上（下）側面に上（下）枠Ａ１の端面を水密材３１を介して突合せ、縦枠Ｃ１の外側から挿通したビス３２により固定する。このとき、上枠Ａ１とキャップ２７と縦枠Ｃの各取付けフィン１０ａ、２８、１０ｃは面一となる。他の場合も同様にすればよい。
【００４５】
次に、上記構成の組み立てシステムによって建物躯体の開口部にサッシ窓を組み立てる組立て態様について説明する。なお、同じ符号は同じ部材を示すものとする。
【００４６】
まず、図７および図８に示すような建物躯体開口部にサッシ窓を形成する例について説明する。同図において符号３３は建物躯体の開口部を示す。この開口部３３の内側には周縁材３４が配設され、周縁材３４の屋内側には額縁３５が取り付けられている。周縁材３４は上部周縁材３４ａと下部周縁材３４ｂと側部周縁材３４ｃとから構成され、額縁３５は上部額縁３５ａ、下部額縁３５ｂ、側部額縁３５ｃとから構成されている。
【００４７】
上記構成の開口部構造に対しては、汎用枠ａ、ｂ、ｃと専用枠ａ１、ｂ１、ｃ１との組み合わせたサッシ枠を納めることができる。すなわち、それぞれ上述の要領で上枠Ａ１と下枠Ｂ１と縦枠Ｃ１とを方形に枠組みしたサッシ枠を屋外側から上記開口部３３内に嵌合し、額縁３５と開口周縁材３４ａ、３４ｂ、３４ｃの内周面に向けて汎用枠ａ、ｂ、ｃのベース枠部１ａ、１ｃおよび取付縁１８、１８ａから木ねじを打ち込み固定し、さらに専用枠ａ１、ｂ１、ｃ１の取付フィン１０ａ、１０ｂ、１０ｃから上記周縁材３４の屋外面に木ねじを打ち込んで固定する。その後、建物躯体の屋内外に内装材３６と外装材３７を取り付けてサッシ窓が完成する。上記サッシ枠内には障子３８と網戸３９を案内部５ａ、５ｂ、５ｃ、６ａ、６ｂ、６ｃにより摺動自在に配置すればよい。
【００４８】
次に、図９および図１０に示すような建物躯体開口部構造に対しては、汎用枠ａ、ｂ、ｃと専用枠ａ２、ｂ２、ｃ２との組み合わせからなる上枠Ａ２、下枠Ｂ２、縦枠Ｃ２とを方形に枠組みすることによって納めることができる。なお、この場合の取付態様は図７および図８の例と同様であり、説明は省略する。
【００４９】
また、図１１および図１２に示す建物躯体の開口部は、周縁材の上下部３４ａ、３４ｂは木材であるが、側部周縁材３４ｃは金属枠材によって構成されたもので、このような構造に対しては、汎用枠ａ、ｂ、ｃと専用枠ａ３、ｂ３、ｃ３との組み合わせからなる上枠Ａ３、下枠Ｂ３、縦枠Ｃ３とを方形に枠組みすることによって納めることができる。組み立ての要領は上述と同じであり、説明は省略する。なお、取付フィン１０ａ、１０ｂ、１０ｃを固定した木ねじは化粧縁１６ａ、１６ｂ、１６ｃによって隠される。
【００５０】
上述のように、上記サッシ枠の組み立てシステムにおいては、建物躯体の開口部におけるサッシ枠の収まり構造には、共通の納まり部と専用の納まり部とがあることに着目し、サッシ枠を共通の汎用部分と専用部分に分け、汎用部分に専用部分を選択して結合させることにより、異なる納まり構造に対応することができるので、納まり構造が変わる毎に枠材を製造する必要がない。したがって、サッシ枠を効率的にかつ低コストで製造することができる。
【００５１】
なお、上記組立てシステムの各汎用枠および各専用枠の構成は上述の形態に限定されるものではない。
【００５２】
また、汎用枠を枠組みしておき、その屋外側から専用枠を嵌合あるいは組み付けて汎用枠と一体に結合させる構成であってもよい。さらに、汎用枠と専用枠とを断熱材を介して一体に結合するようにしてもよい。
【図面の簡単な説明】
【００５３】
【図１】本発明に係る組立てシステムの汎用上枠と専用上枠の例の断面図である。
【図２】上記組立てシステムの汎用下枠と専用下枠の例の断面図である。
【図３】上記組立てシステムの汎用縦枠と専用縦枠の例の断面図である。
【図４】（ａ）（ｂ）（ｃ）は汎用上枠と専用上枠との組み合わせ結合例を示す断面図である。
【図５】縦枠と上枠との突合せ結合の例の断面図である。
【図６】縦枠と上枠との突合せ結合の例の正面図である。
【図７】組み合わせられたサッシ枠を建物躯体の開口部に納めた例の縦断面図である。
【図８】上記例の横断面図である。
【図９】組み合わせられたサッシ枠を建物躯体の開口部に納めた別の例の縦断面図である。
【図１０】上記別の例の横断面図である。
【図１１】組み合わせられたサッシ枠を建物躯体の開口部に納めたさらに他の例の縦断面図である。
【図１２】上記他の例の横断面図である。
【符号の説明】
【００５４】
Ａ１  上枠
Ｂ１  下枠
Ｃ１  縦枠
ａ  汎用上枠
ｂ  汎用下枠
ｃ  汎用縦枠
ａ１、ａ２、ａ３  専用上枠
ｂ１、ｂ２、ｂ３  専用下枠
ｃ１、ｃ２、ｃ３  専用縦枠
【図１】
2006348492.tif 000003
【図２】
2006348492.tif 000004
【図３】
2006348492.tif 000005
【図４】
2006348492.tif 000006
【図５】
2006348492.tif 000007
【図６】
2006348492.tif 000008
【図７】
2006348492.tif 000009
【図８】
2006348492.tif 000010
【図９】
2006348492.tif 000011
【図１０】
2006348492.tif 000012
【図１１】
2006348492.tif 000013
【図１２】
2006348492.tif 000014